(57)【要約】壁会合面及び真空断熱パネル（ＶＩＰ）接面を有する第１の保護パネルと、中間ＶＩＰパネルと、ＶＩＰ接面及び外接面を有する第２の保護パネルとの連続層を少なくとも備え、第２の保護パネルの外接面を変形させることなく、ＶＩＰパネルの拡張を可能にするために、第１及び第２の保護パネルのうち少なくとも一方とＶＩＰパネルとの間に拡張領域がすることを特徴とする、壁に使用するための壁断熱パネル。このように、拡張領域は、第存在２のパネルのＶＩＰ対向面の変形を伴わずに、したがって、外接面の変形を伴わずに、ＶＩＰパネルの拡張を可能にする。これは、外接面と、レンダリング層のような、その上の任意の更なる面又は層の整合性及び美的外観を維持する。
2015505921.tif 000002
【特許請求の範囲】
【請求項１】
壁上で使用するための壁断熱パネルであって、
壁会合面及び真空断熱パネル（ＶＩＰ）接面を有する第１の保護パネルと、
中間ＶＩＰパネルと、
ＶＩＰ接面及び外接面を有する第２の保護パネルと、の連続層を少なくとも備え、
前記第２の保護パネルの前記外接面の変形を伴わずに、前記ＶＩＰパネルの拡張を可能にするために、前記第１の保護パネル及び前記第２の保護パネルのうちの少なくとも一方と前記ＶＩＰパネルとの間に拡張領域が存在することを特徴とする、壁断熱パネル。
【請求項２】
前記拡張領域が、補正層を含む、請求項１に記載のパネル。
【請求項３】
前記補正層が、１つ以上の固体又は半固体材料を含み、少なくともその一部が、前記ＶＩＰパネルの拡張に対応するように変形可能である、請求項２に記載のパネル。
【請求項４】
前記拡張領域が、リブ、管、ばね、低密度軟質フォーム、被着されたリブ又は管、押出されたリブ又は管、シリコーンフォームを含む群のうちの１つ以上を含む、請求項３に記載のパネル。
【請求項５】
前記拡張領域が、前記ＶＩＰ接面と前記ＶＩＰパネルとの間に延在する、一連のリブ又は管を備え、前記リブ又は管の少なくとも一部が変形可能である、請求項４に記載のパネル。
【請求項６】
前記リブ又は管が、前記ＶＩＰ接面と前記ＶＩＰパネルとの間に波形面を提供する、請求項４又は５に記載のパネル。
【請求項７】
前記リブ又は管が、前記ＶＩＰパネルと会合するように、完全に又は実質的に前記ＶＩＰ接面から延在する、請求項４〜６のいずれか一項に記載のパネル。
【請求項８】
前記拡張領域が、前記第２のパネルの前記ＶＩＰ接面と前記ＶＩＰパネルとの間にある、請求項１〜７のいずれか一項に記載のパネル。
【請求項９】
前記ＶＩＰパネルが、前記壁断熱パネルの２つの対向する側面へ延在する、請求項１〜８のいずれか一項に記載のパネル。
【請求項１０】
前記第２の保護パネルの前記外接面が、レンダリングされた仕上げをその表面に有する、請求項１〜９のいずれか一項に記載のパネル。
【請求項１１】
前記ＶＩＰパネルが、ヒュームドシリカのＶＩＰパネルである、請求項１〜１０のいずれか一項に記載のパネル。
【請求項１２】
前記第２のパネルが、切断ゾーンを示すために、前記外接面に平行な横方向の警告線を含む、請求項１〜１１のいずれか一項に記載のパネル。
【請求項１３】
一連の当接する、請求項１〜１２のいずれか一項に記載の壁断熱パネルを備える、壁断熱クラッディング。
【請求項１４】
前記当接する壁断熱パネルがそれぞれ、前記クラッディングが連続的なＶＩＰ平面を提供するように、前記壁断熱パネルの２つの対向する側面へ延在するＶＩＰパネルを備える、請求項１１に記載の壁断熱クラッディング。
【発明の詳細な説明】
【技術分野】
【０００１】
（関連出願の相互参照）
本出願は、２０１１年１２月５日出願の米国仮特許出願第６１／５６６，７４７号に対する優先権及びその全ての利点を主張するものであり、その内容は参照することにより本明細書に組み込まれる。
【０００２】
（発明の分野）
本発明は、壁上で使用するため、かつ真空断熱パネル（ＶＩＰ）を含む壁断熱パネルと、具体的には、連続的なＶＩＰ平面を提供するために、一連の前記壁断熱パネルを備える壁断熱クラッディングとに関する。
【背景技術】
【０００３】
真空断熱パネル（ＶＩＰ）は、しばしば「ＶＩＰパネル」とも呼ばれ、従来のプラスチックフォーム又は繊維状の断熱材よりも少なくとも３〜７倍、より効果的な断熱能力を有する、非常に効率的で高度な断熱技術である。ＶＩＰパネルは、冷蔵庫のような静的商品及び冷蔵車両内の性能を向上させるために益々使用されている。
【０００４】
ＶＩＰパネルは、特に、建物の更なる熱効率化を目的として、建物の断熱材に益々使用されつつあるか、又は使用されることが提唱されている。ＶＩＰパネルは、一般に、既存の断熱パネルよりも小型（より薄いことにより）で、空間及びエネルギーの両方を確実に節約する。「空洞」壁内の断熱はよく知られているが、建物の外壁上の断熱性を改善させることも所望される。
【０００５】
従来、ビルの外壁断熱材は、従来のフォーム又は繊維状の断熱材で形成される固形パネルによって提供される。かかるパネルは、建設及び据付け過程中の取り扱いに耐えることができ、かついかなるサイズにも切断及び成形されることができ、そして大幅に断熱性に影響を与えることなく、かかるパネルを意図的に又は偶然に通過し得る、釘及び他の固定金具を含む、容易な固定方法によって、壁に固設することができる、堅牢な製品を提供する。
【０００６】
壁の建設中に断熱パネルを追加した後、最終層、一般には「レンダリング」層が、通常、天候遮蔽のため、及び建物の「眺め」を定義する最終外接層として、建物の外側に平滑かつ均一な仕上げを提供するために追加される。
【０００７】
ＶＩＰパネルは、真空を伴うことにより、一般的にあまり頑丈でなく、必要とされる取り扱いに耐えられるように、据付け及び固定の際に、少なくとも何らかの保護を必要とする。したがって、従来、建物向けのＶＩＰパネルは、断熱パネルを形成するように、１つ以上のフォーム保護層の中に、全ての側面が完全に包覆される。
【０００８】
しかしながら、かかる完全に保護及び包覆されたＶＩＰパネルには、２つの問題がある。第一に、真空技術は改善しているが、ＶＩＰパネル内の真空の存在は依然として、パネルの膜を通り、大気中からパネルの内部への気体の移動、すなわち、真空の「漏出」を可能にする。しかし、いかなる漏出も、包覆されたＶＩＰパネルの全体的なサイズに影響を与え、断熱パネル全体を拡張し、したがって、いずれの天候遮蔽、又はその上のレンダリングされた仕上げも変形させる。レンダリングに亀裂が入り、湿気の侵入を可能にして、パネルの整合性に影響を与えるだけでなく、審美的に見苦しくする。
【０００９】
第二に、真空断熱の全体的な有効性は、いくつかのかかるパネルが合体され、全体の表面又はクラッディングを形成するとき、低減される。これは、フォーム保護が、全ての側面からＶＩＰパネルを囲繞し、ＶＩＰパネルを単離するからであり、よって、いくつかのかかるパネルを併せて提供することは、別個のＶＩＰパネルの「真空断熱」特性の継続を全く引き起こさない。したがって、熱の移動のための「熱ハイウェイ」、すなわち、より容易な経路が、かかる断熱パネルの一方の側から他方の側へ、一般的には外部から内部への熱の通過のために創出される。熱ハイウェイは、ＶＩＰパネルの間に形成され、そこでは、フォーム保護は、断熱パネルの会合にも関わらず、各パネルの実際の真空断熱部分の会合を破壊する。
【発明の概要】
【発明が解決しようとする課題】
【００１０】
本発明の目的は、壁断熱に使用するためのＶＩＰパネルを有し、ＶＩＰ漏出に対応することができる、改善された壁断熱パネルを提供すること、及び／又はかかる一連のパネルにわたって熱ハイウェイ（heat highway）の数を減少させることである。
【課題を解決するための手段】
【００１１】
本発明の一態様によると、壁上で使用するための壁断熱パネルが提供され、該パネルは、
壁会合面及び真空断熱パネル（ＶＩＰ）接面を有する第１の保護パネルと、中間ＶＩＰパネルと、
ＶＩＰ接面及び外接面を有する第２の保護パネルと、の連続層を少なくとも備え、第２の保護パネルの外接面を変形させることなく、ＶＩＰパネルの拡張を可能にするために、第１及び第２の保護パネルのうち少なくとも一方と、ＶＩＰパネルとの間に拡張領域が存在することを特徴とする。
【００１２】
このようにして、拡張領域は、第２のパネルのＶＩＰ接面が変形することなく、よって、外接面が変形することなく、ＶＩＰパネルの拡張を可能にする。これは、外接面、及びレンダリング層のような、その上の任意の更なる面又は層の整合性及び美的外観を維持する。
【００１３】
本発明の壁断熱パネルは、いかなる種類、形態、及び範囲の壁上でも使用可能であり、例えば、内壁、外壁、天井、屋根、床、ドア、又は同様の構造を提供する任意の他の表面が挙げられるが、これらに限定されない。壁の性質、範囲、設計、及び形状は、本発明への制限要素ではない。
【００１４】
好ましくは、壁断熱パネルは、建物の外壁上で使用可能である。
【００１５】
壁断熱パネルの典型的な、しかし限定されない寸法は、「幅」０．３メートル〜２．５メートル、「高さ」０．３メートル〜４メートル、及び「厚さ」５０ミリメートル〜５００ミリメートルの範囲であり得る。
【００１６】
第１の保護パネルの性質、サイズ、形状、及び設計は、本発明に限定されるものではない。これは、任意の好適な材料、好ましくは、耐久性のあるプラスチックフォームで形成することができ、より好ましくは、発泡ポリスチレン（ＥＰＳ）、押出ポリスチレン（ＸＰＳ）、ポリウレタン（ＰＵ）、ＰＩＲ（ポリイソシアヌレートフォーム）、アルミニウム、又は任意の硬質プラスチックからなる群から選択される。
【００１７】
同様に、第２の保護パネルの性質、サイズ、形状、及び設計は、本発明に限定されるものではなく、第１の保護パネルのものと同じ又は異なってもよい。好ましくは、第２の保護パネルはまた、より好ましくは、耐久性のあるプラスチックフォーム、更により好ましくは、ポリスチレン（ＥＰＳ）、押出ポリスチレン（ＸＰＳ）、ポリウレタン（ＰＵ）、ＰＩＲ（ポリイソシアヌレートフォーム）、アルミニウム、又は任意の硬質プラスチックからなる群から選択される、任意の好適な材料から形成され得る。
【００１８】
第２の保護パネルは、外接面を有する。本明細書において、「外」という用語は、「壁会合面」の反対を意味するように使用され、同様に、ほとんどの建物の壁は、内接面、及び外側面又は外接面を有する。一般的に、パネルの「外」接面は、壁にパネルを適用した後、依然として見えるパネルの表面である。
【００１９】
中間ＶＩＰパネルは、第１及び第２の保護パネルの間に収容可能な、任意の好適な性質、サイズ、形状、及び設計を有することが可能である。ＶＩＰパネルは、内側に真空が存在する「膜材料」と一般的に称される、任意の好適な外部フィルム、膜、壁、被覆等から形成され得る。真空は、０．５キロパスカル（５ミリバール）未満のヒュームドシリカ充填ＶＩＰ、０．１キロパスカル（１ミリバール）未満のミネラルウール充填ＶＩＰといった、一般的に「周囲」又は「大気」の圧力よりも低い、任意の好適な圧力であってよい。真空圧は、ＶＩＰパネルのサイズ及び他の構造特質に関連し得る。
【００２０】
壁断熱パネルは、同じ又は異なる、１つ以上の中間ＶＩＰパネルを含むことができ、任意に、同じ又は類似の寸法及び他の特質を有し、更に、本明細書における「中間ＶＩＰパネル」への言及は、単一の中間ＶＩＰパネル、又は第１と第２の保護パネルとの間に重なる、複数の中間ＶＩＰパネルを含む。
【００２１】
上述されるように、ＶＩＰパネルの膜又は被覆材は、大気中からパネルの内部への気体の移動に抵抗するように意図され、これは明らかに、パネルの真空断熱性能を低下させ、また、パネルのサイズを拡張する。アルミニウム箔などの膜材料は、良好な真空耐熱特性を有するだけでなく、ＶＩＰパネルの製造方法において、容易に「密封可能」でもある。１つ以上の更なる層又は被覆が、膜材料の内部又は外部に存在してもよい。しかしながら、完全な真空層を生成することは、特にＶＩＰパネルを形成するために使用される真空圧力では不可能であり、かつ、それは、温度変化、長期間の露出、任意の衝撃等の建物の壁の「状態」、並びに、一般的に建設業者によって所望される長い製品寿命及び有効性の実現の影響を受ける。
【００２２】
ＶＩＰパネルは、１つ以上の内部媒体を含んでもよい。内部媒体は、エアロゲル、シリカ、特にヒュームドシリカ、繊維ガラス及びマイクロ繊維ガラスなどの材料を含む。
【００２３】
本発明の一実施形態によると、本発明で使用されるＶＩＰパネルは、アメリカ合衆国ミシガン州ミッドランドにあるＤｏｗ  Ｃｏｍｉｎｇ  Ｃｏｒｐｏｒａｔｉｏｎから入手可能なヒュームドシリカのＶＩＰパネルである。
【００２４】
少なくとも第１及び第２の保護パネルの一方と、本発明のＶＩＰパネルとの間の拡張領域は、第２のパネルの外接面の変形を伴わずに、ＶＩＰパネルの拡張を可能にする。したがって、外接面の整合性を維持することができる。この整合性は、特に天候などの、環境に対する障壁となることのほか、外接面又は外接面上に追加される任意の更なる層若しくは表面、又は材料の美的外観を含むが、これらに限定されない。例えば、外接面内のあらゆる変形は、その上に追加されたレンダリング層に亀裂を入れ、その既知の関連する問題とともに湿気の侵入を可能にするだけでなく、永久的に外観を見苦しくするであろう。
【００２５】
拡張領域は、第２の保護パネルの外接面の形状又は面に影響を与えずに、壁断熱パネルの寸法内で真空断熱パネルの拡張に対応できる任意の領域又は空間を含むことができる。
【００２６】
拡張領域は、ＶＩＰパネルの１つ以上の面にわたって、部分的に、実質的に、又は完全に、延在することができる。具体的には、それは、第１及び第２の保護パネルのＶＩＰ接面の少なくとも１つと、部分的に、実質的に、又は完全に、同じ寸法であってもよい。
【００２７】
本発明の一実施形態によると、拡張領域の長さ及び幅は、完全に又は実質的にＶＩＰパネルの長さ及び幅と一致する。
【００２８】
本発明の別の実施形態によると、拡張領域は、完全に又は実質的に一定の深さを有し、「深さ」とは、ＶＩＰパネルの片側から横方向に延在するその寸法である。
【００２９】
本発明の別の実施形態によると、拡張領域は、補正層を含む。補正層は、任意に、１つ以上の層及び／又は材料を含み、ＶＩＰパネルのサイズの任意の拡張を補正することができる。
【００３０】
好ましくは、補正層は、１つ以上の固体又は半固体材料を含み、少なくともその一部は、ＶＩＰパネルの拡張に対応するように変形可能である。任意に、補正層は、同じ又は異なる１つ以上材料から形成されてもよく、前記材料の少なくとも１つは、変形可能であり、前記材料の少なくとも１つは、ＶＩＰパネルの変形又は拡張による変形が不可能である。
【００３１】
補正層の「異なる」材料は、１つ以上のプラスチックと同じ化学又は材料組成物を有するが、異なる密度、分子量等の、異なる特性を有する材料を含んでもよい。ＥＰＳなどのプラスチックは、異なる密度、分子量等で利用可能であり、異なる特性、特に強度などの異なる機械的性質を有する、同じ種類のプラスチックを提供する。
【００３２】
任意に、拡張領域は、上で定義されるような１つ以上の変形可能な材料、及び１つ以上の空域又は空洞などの１つ以上の気体領域又は空間から形成される。
【００３３】
変形可能な材料は、規則的又は不規則的に、拡張領域にわたって延在することができ、部分的、実質的、又は完全に拡張領域にわたって延在することができる。
【００３４】
本発明の別の実施形態によると、拡張領域又は補正層は、リブ、管、ばね、軟質及び／又は圧縮性フォーム、例えば、非常に柔らかいフォームを含む群のうちの１つ以上を含む。
【００３５】
任意に、拡張領域は、ＶＩＰ接面とＶＩＰパネルとの間に延在する、一連のリブ又は管を含み、リブ又は管の少なくとも一部は変形可能である。かかるリブ又は管は、低密度ＰＵ軟質泡状体、又は別の低密度軟質フォーム、又は可撓性フォーム、又は可撓性管、押出若しくは成形フォーム、又はシリコーンフォーム、又はアクリル材料から形成することができる。任意に、リブ又は管は、ＶＩＰ接面とＶＩＰパネルとの間の波形面を提供する。また、任意に、リブ又は管は、ＶＩＰパネルと会合するように、ＶＩＰ接面から延在する。
【００３６】
本発明の別の実施形態において、補正層は、直接拡張層に適合するように、成形されたシート状の材料である。シート状材料は、第１のシートから横方向に延在する、いくつかのリブ又はひだのような、変形可能な材料を有する第１の表面を含んでもよい。任意に、シートは、変形可能な材料間の「サンドイッチ」効果を形成する、第２の対向面を有する。かかるシート状材料は、押出材として形成され、壁断熱パネルの製造中に、拡張領域への容易な挿入のために、所望の形状に切断することができる。あるいは、補正層が成形され得る。
【００３７】
好ましくは、拡張領域は、第２のパネルのＶＩＰ接面と、ＶＩＰパネルとの間にある。任意に、拡張領域は、第２の保護パネルの外接面の変形を伴わずに、ＶＩＰパネルの拡張に備えて同様の許容範囲を提供するように、ＶＩＰパネルと、第１の保護パネルのＶＩＰ接面との間に配置される。あるいは、拡張領域は、ＶＩＰパネルの片側又は両側からのＶＩＰパネルの拡張に対応できるように、ＶＩＰパネルの各側面に配置され得る。
【００３８】
上で言及されるように、ＶＩＰパネルは、建設業界等において使用される間に、より脆弱なＶＩＰパネルの整合性を保護するために、従来の断熱パネルにおける１つ以上の保護層によって完全に囲繞されるときにのみ、一般に使用されている。しかしながら、その保護は、すべての側面でＶＩＰパネルを囲繞するため、壁を一緒に被覆するためのいくつかのかかるパネルの提供は、断熱パネルの各々の中で、単離され、よって、別個のＶＩＰパネルの「真空断熱」特性の継続を可能にしない。つまり、熱ハイウェイは、断熱パネルの会合にもかかわらず、ＶＩＰパネルとの間に形成される。
【００３９】
したがって、本発明の別の実施形態において、本発明の壁断熱パネルは、壁断熱パネルの２つの対向する側面へ延在するＶＩＰパネルを備える。このようにして、ＶＩＰパネルのかかる側面は、２つ以上の隣接する、当接する、連結する、又はそうでなければ結合する、本発明の壁断熱パネルにわたって、真空断熱効果の継続を提供するように、対向して配置される、他のかかるパネルのＶＩＰ側面と直接会合することができる。したがって、その間には、生じ得る熱ハイウェイは存在せず、かつ断熱壁クラッディングの「熱ハイウェイ」の数の減少は、いくつかのパネルにわたって全体的な断熱効果の有効性を増加させる。
【００４０】
本明細書において使用される際、「直接会合する」という用語は、真空断熱効果の継続を提供するための方法における、ＶＩＰパネルの会合又は当接に関するものである。つまり、２つのＶＩＰパネルの間に任意の中間層が存在する場合、それは、真空断熱特性において僅少の効果を有する。好ましくは、本発明の本実施形態における２つのＶＩＰパネルは、中間層を伴わずに、当接している。
【００４１】
本発明の別の実施形態によると、外側のパネルの外接面は、レンダリングされた仕上げをその上に有する。
【００４２】
任意に、外側のパネルは、切断ゾーンを示すために、外接面に平行である横方向の警告線を含む。建物向けパネルの提示された切断ゾーンは、当該技術分野において公知であり、一般的に、外側面において、視覚的又は有形の二次元若しくは三次元の付加又は変化によって形成された、１つ以上の線を含み、これは、一般的には、壁上の対応する空間に合わせて、壁断熱パネルの最終的に必要な又は所望の形状を形成するため、壁断熱パネルのどの領域を切り取ることができるかをユーザに示すためであり、これは、ＶＩＰパネルに影響を与えることなく、より具体的にはＶＩＰパネルを切断せずに、したがって、真空断熱効果を打ち消すことなく行われる。かかる警告線には、連続若しくは非連続の赤線、又はインデントされた線が含まれる。
【００４３】
本発明の別の態様によると、本明細書で定義されるように、一連の当接する壁パネルを備える壁断熱クラッディングが提供される。壁断熱クラッディングは、これらに限定されるものではないが、一般に、商業ビル又は施設などの建物の平坦な外壁として、二次元又は三次元で延在することができる。
【００４４】
好ましくは、本発明の壁断熱クラッディングは、本発明の当接する２つ以上の壁断熱パネルの使用に基づいて、少なくとも一次元で連続ＶＩＰ平面を提供し、各々のパネルは、壁断熱クラッディングの全体的な真空断熱効果を高めるために、壁断熱パネルの対向する２つの側面に延在するＶＩＰパネルを含む。
【図面の簡単な説明】
【００４５】
本発明の実施形態は、以降、単に例示として、添付の図面を参照して説明される。
【図１ａ】拡張された形式における、本発明の一実施形態による壁断熱パネルのそれぞれ側面図及び斜視図である。
【図１ｂ】拡張された形式における、本発明の一実施形態による壁断熱パネルのそれぞれ側面図及び斜視図である。
【図２ａ】形成された形式における図１ａ及び１ｂの壁断熱パネルのそれぞれ側面図及び斜視図である。
【図２ｂ】形成された形式における図１ａ及び１ｂの壁断熱パネルのそれぞれ側面図及び斜視図である。
【図３】ＶＩＰパネルの拡張後の図２ａの壁断熱パネルの側面である。
【図４】図１及び２における、２つの当接する壁断熱パネルの概略正面図である。
【図５】本発明の別の実施形態による、壁断熱クラッディングを形成する、図１及び図２のいくつかの当接する壁断熱パネルの概略斜視図である。
【発明を実施するための形態】
【００４６】
図面を参照すると、図１ａ、１ｂ、２ａ、及び２ｂは、本発明の一実施形態による壁断熱パネル２を示し、壁断熱パネル２は、壁会合面６及び真空断熱パネル（ＶＩＰ）接面８を有する第１の保護パネル４と、中間ＶＩＰパネル１０と、ＶＩＰ接面１４及び外接面１６を有する第２の保護パネル１２とを備える。
【００４７】
図１ａ及び１ｂは、図２ａ、及び図２ｂに示す、形成又は完成した壁断熱パネル２を提供するための製造方法でパネルを合体する以前の、拡張形態の壁断熱パネル２を示す。
【００４８】
第１の保護パネル４及び第２の保護パネル１２は、それぞれ発泡ポリスチレン（ＥＰＳ）で形成されている。ＥＰＳは、保護的な又はクラムシェル方法でＶＩＰパネル１０を囲繞するように、適切な形状、又は実際に、保護効果を達成できる他の類似の形状に、容易に押出すことができる。
【００４９】
本発明はこれに限定されないが、図１及び図２は、「ベースチャネル」を形成する第１の保護パネル４を示し、第１の保護パネル４は、後壁部１８と、２つの突出肩部１９とを有し、３つの側面にＶＩＰパネル１０を収容及び保護するような、ＶＩＰパネル１０の３つの側面の内寸を有する。第１の保護パネル４の肩部１９は、また、図２ａ及び図２ｂに示すように、一緒に形成されるときに重なり合う、第２の保護パネル１２の対応する突出上部及び底部壁２０を収容するように成形される。
【００５０】
ＶＩＰパネル１０は、アルミニウム膜と、アメリカ合衆国ミシガン州ミッドランドのＤｏｗ  Ｃｏｍｉｎｇ  Ｃｏｒｐｏｒａｔｉｏｎから入手可能なヒュームドシリカ内部媒体とから形成される。
【００５１】
これに限定されないが、壁断熱パネル２の寸法は、１．５メートル×１．５メートル×０．５メートルの範囲であり得る。
【００５２】
第２の保護パネル１２は、拡張領域２２を含み、拡張領域２２は、いったん、壁断熱パネル２が図２ａ及び図２ｂに示すように形成されると、第２の保護パネル１２のＶＩＰ接面１４と、ＶＩＰパネル１０の対向面との間に延在する。
【００５３】
拡張領域２２は、ＶＩＰ接面１４とＶＩＰパネル１０との間に波形の模様又は表面を提供するように、第２の保護パネル１２のＶＩＰ接面１４から延在する、一連の規則的な平行リブ２４によって形成される補正層を備える。リブ２４は、図３に示され、かつ以下で説明するように、ＶＩＰパネルが損なわれたときには、圧縮／変形する、低密度ＰＵ軟質フォームのような、好適な材料から形成される。
【００５４】
図１及び２に示すように、リブ２４は、ＶＩＰパネル１０と会合するように、第２の保護パネル１２のＶＩＰ接面１４から完全に延在し、リブ２４は、ＶＩＰ接面１４の全体にわたって延在する。
【００５５】
壁断熱パネル２は、切断ゾーンを示すために外接面１６に平行である、横方向の警告線２６を含む。警告線２６は、第２の保護パネル１２の上部に沿って溝又チャネルの形態であり、第２の保護パネル１２の色と比較して、赤などで、異なるように着色することができる。警告線２６は、第２の保護パネル１２がどの程度で切断されるか、又はそうでなければ、ＶＩＰパネル１０を切断せずに、よって、その整合性を破壊することなく形成されるか、についてインストーラに指標を示す。
【００５６】
図１及び２はまた、壁断熱パネル２の２つの対向する側面に延在する、ＶＩＰパネル１０の２つの垂直側面２８を示す。かかる側面は、それ自体が「垂直」であることに限定されず、壁断熱パネル２の使用及び設置に依存する。垂直側面２８は、壁断熱パネル２の垂直方向の側縁まで延在する（すなわち、それらは、第１の保護パネル４及び第２の保護パネル１２と同じ「長さ」を有する）。
【００５７】
図３は、ＶＩＰパネル１０のサイズ、特に、ＶＩＰパネル１０の前壁３０を拡張する、ＶＩＰパネル１０内の真空の漏出後に形成された、図２ａの壁断熱パネル２を示す。この前壁３０の拡張は、本発明の利点を最良に説明するために、誇張された形態で示されている。
【００５８】
ＶＩＰパネルの前壁３０が、一般に凸状に外向きに変形するとき、その付加的な空間は、変形によって収容することができる（すなわち、拡張領域２２ａをより小さくする、対向するリブ２４の破砕）。前壁３０の変形の程度と、第２の保護パネル１２のＶＩＰ接面１４への近さは、図３に関して誇張された形態で示されており、壁断熱パネル２の製品寿命における予想される変形は、事前に計算することができ、製品寿命におけるリブ２４のあらゆる完全な破砕を避けるために、拡張領域内の誤差に関して広範な許容範囲を設けている。
【００５９】
図３は、対向するリブ２４の破砕によるＶＩＰパネル１０の拡張への対応を示しており、拡張前壁３０は、第２の保護パネル１２のＶＩＰ接面１４に到達することはない。したがって、第２のパネル１２の外接面１６の変形は、存在しない。
【００６０】
拡張領域２２は、同様に、第２の保護パネル１２の外接面１６の変形を伴わずに、ＶＩＰパネル１０の対向する壁の拡張に備えて、同様の許容範囲を提供するために、ＶＩＰパネル１０と第１の保護パネル４との間に配置することが可能である、ということが分かる。あるいは、拡張領域は、一方又は両方のＶＩＰパネル側壁の拡張に対応することができる、ＶＩＰパネル１０の各側面に配置することができる。
【００６１】
図４は、１つの垂直側面３２に沿って当接する、本発明の２つの壁断熱パネル２の外接面１６の正面図である。このようにして、２つの壁断熱パネル２の範囲にわたって連続的なＶＩＰ平面３４を形成するように、各壁断熱パネル２内のＶＩＰパネル１０の垂直側面２８は、直接当接することができ、よって、当接部３２にわたる２つのＶＩＰパネル１０の真空断熱効果の継続を提供する。図４に示されている２つの壁断熱パネル２と並ぶ他の壁断熱パネルの位置は、壁断熱パネル２の被覆の全範囲にわたって、同じ方向に真空断熱効果の継続を拡張する。
【００６２】
図５は、単に例示として、本発明の他の実施形態による、壁断熱クラッディング４２を形成するために、建物の壁４０上に配置される壁断熱パネル２の、０．９１メートル×０．９１メートル（３フィート×３フィート）シリーズを示している。壁断熱パネル２は、上述のように真空断熱効果３４の継続を提供するために、図４に示す方法で、それらの垂直縁部に沿って当接する。
【００６３】
壁断熱クラッディング４２を適用した後、次いで、レンダリングされた最終面４４を提供するように、１つ以上のレンダリング層を、壁断熱パネル２の外接面１６にわたって追加することができる。１つ以上のレンダリング層の追加は、環境、特に天候に対する遮蔽を提供し、加えて、建物の外側に審美的により好ましい最終的な仕上げを提供する。
【００６４】
レンダリングは、それが敷設されている表面に任意の擾乱、特に変形がある場合、亀裂の影響を受けやすいことはよく知られている。したがって、変形を伴わずに、壁断熱パネル２の外接面１６を製品寿命にわたって維持する本発明の能力は、壁断熱パネル２が、外接面１６、及び／又はレンダリング面４４のような、その上の任意の更なる面又は層の整合性及び審美的外観を維持することを可能にする。レンダリング面４４の整合性の維持は、審美的に好ましいだけでなく、レンダリング面４４を介する湿気の侵入の可能性を回避又は最小限に抑える。
【００６５】
したがって、本発明は、そのようなことが発生した場合、第２の保護パネルの外接面の変形を伴わずに、壁断熱パネル内のＶＩＰパネルの拡張を可能にすることができる。このようにして、本発明は、外接面、又はその上の任意の更なる面若しくは層の整合性及び美的外観を維持する。本発明はまた、２つ以上の隣接又は当接する壁断熱パネルにわたって真空断熱効果の継続を提供することができる。
【図１ａ】
2015505921.tif 000003
【図１ｂ】
2015505921.tif 000004
【図２ａ】
2015505921.tif 000005
【図２ｂ】
2015505921.tif 000006
【図３】
2015505921.tif 000007
【図４】
2015505921.tif 000008
【図５】
2015505921.tif 000009
【国際調査報告】
2015505921.tif 000010
2015505921.tif 000011
2015505921.tif 000012